【事件の表示】
　特願２００５−３２９１１９「表示装置、制御装置および表示方法」拒絶査定不服審判事件〔平成１８年　４月　６日出願公開、特開２００６−　９２５７１〕について、次のとおり審決する。
【結　論】
　本件審判の請求は、成り立たない。
【理　由】
１．手続の経緯・本願発明
　本願は、平成３年１月２９日に出願された特願平３−２６６２６号の一部を特許法第４４条第１項の規定により新たな特許出願（特願平１１−１１９９５２号）とし、そして、当該特願平１１−１１９９５２号の一部を特許法第４４条第１項の規定により新たな特許出願（特願２００２−２１８６３２号）とし、さらに、当該特願２００２−２１８６３２号の一部を特許法第４４条第１項の規定により平成１７年１１月１４日に新たな特許出願としたものであって、平成１８年９月６日付けで拒絶査定がされ、これに対し、同年１０月１２日に拒絶査定不服審判が請求されたものである。
　
　本願の請求項１に係る発明（以下、「本願発明」という。）は、平成１８年８月７日付け手続補正書の特許請求の範囲の請求項１に記載された以下のとおりのものである。
　
「複数の画面を切換えて表示する表示装置において、
　所定の機能の実行を行う複数の機能キーを備える第１の画面と、
　前記複数の画面のうち前記第１の画面とは異なる第２の画面と、
　前記第１の画面における複数の機能キーの機能名が表示されると共に、前記第２の画面のお好みキーが不表示状態となるように表示が行われる設定画面と、
　前記設定画面に表示された機能名のうちユーザが選択した機能名の機能を前記第２の画面にお好みキーとして割り付けられる設定手段と、
　前記設定手段による機能の割り付けの設定が終了したときに、ユーザに選択された機能の機能名が表示された前記お好みキーを備えた前記第２の画面を表示する表示手段とを備えたことを特徴とする表示装置。」
　
　
２．引用刊行物
　
　原査定の拒絶の理由に引用された特開平２−１７１８２６号公報（以下、「引用刊行物」という。）には、図面と共に、　
　
「階層メニュー構造をもつメニュー画面式入力装置において、下層メニュー面に表示されるアイテムについてそれらのアイテムが選択される回数を計数する計数部と、計数値が所定レベル以上のアイテムを上層メニュー画面に表示させる層更新部とを具備したことを特徴とするメニュー画面式入力装置。」（「特許請求の範囲」の項）
　
「この発明は、メニュー画面式入力装置に関し、更に詳しくは、操作手順数が少なくてすむメニュー画面を自動的に作り出すメニュー画面式入力装置に関する。」（［産業上の利用分野］の項）
　
「［従来の技術］
　従来のメニュー画面式入力装置の一例を第６図〜第７図を参照して説明する。
　第６図に示すメニュー画面式入力装置１１において、画面作成部１２は、例えば第７図に示す如きメインメニュー画面ＭＭおよびサブメニュー画面ＳＭ１、ＳＭ２を記憶している。
　メインメニュー画面ＭＭとサブメニュー画面ＳＭ１、ＳＭ２とは階層構造になっており、後者は前者を経由して呼び出されるようになっている。
　すなわち、立上り時は、まず画面作成部１２からメインメニュー画面ＭＭが画像表示部５に出力され、メインメニュー画面ＭＭが表われる。そこで、そのメインメニュー画面ＭＭにキー図形で表示されているアイテムｍ１またはアイテムｍ２（第７図参照）のいずれかをタッチパネル６により選択する。すると、操作解釈部１７がサブメニュー画面ＳＭ１またはＳＭ２への画面切替コマンドを画面作成部１２に与えるので、画面作成部１２がサブメニュー画面ＳＭ１またはＳＭ２を画像表示部５に出力し、サブメニュ一画面ＳＭ１またはＳＭ２が表われる。
　ここで、サブメニュー画面ＳＭ１またはＳＭ２にキー図形で表示されているアイテムｓ１１〜ｓ２２のいずれかをタッチパネル６により選択すると、操作解釈部１７が対応する処理ＪＯＢ１１〜ＪＯＢ２２を行わせるコマンドを処理装置（図示省略）に入力する。
　このように、メニュー画面に表示されているアイテムを選択するという簡単な操作を行うだけで、目的のコマンドを入力できるようになっている。
［発明が解決しようとする課題］
　上記従来のメニュー画面式入力装置１１のようにメニュー画面が階層構造になっているものでは、一つの画面に表示するアイテム数を少なくでき、アイテムの役割を体系的に理解しやすいという特長をもっている。
　しかし、その反面、サブメニュー画面にあるアイテムを選択するためには、メインメニュー画面から目的のアイテムのあるサブメニュー画面に切り替える操作が必要となり、その分だけ余分な労力と時間がかかる問題点がある。
　そこで、この発明の目的とするところは、元々はサブメニュ一画面で選択するアイテムであっても、使用頻度の高いアイテムについてはメインメニュ一画面で選択できるように目動的に変更し、操作の手間を出来るだけ少なくするようにしたメニュー画面式入力装置を提供することにある。」（第１頁左下欄第１８行〜第２頁右上欄第５行） 
　
「［課題を解決するための手段］
　この発明のメニュー画面式入力装置は、階層メニュー構造をもつメニュー画面式入力装置において、下層メニュ一画面に表示されるアイテムについてそれらのアイテムが選択される回数を計数する計数部と、計数値が所定レベル以上のアイテムを上層メニュー画面に表示させる層更新部とを具備したことを構成上の特徴とするものである。
　上記構成において、上層、下層とは、相対的な上位、下位を意味し、隣接する２層に限定されるものではない。したがって、例えば３層構造の階層をなしている場合に、最下層に属するアイテムを最上層のメニュー画面に表示させることをも含むものである。
　また、上層メニュー画面に表示させた場合に、元の下層メニュー画面にそのアイテムを表示するのを継続するか中止するかは任意に選択でき、いずれかに限定されるものではない。
［作用］
　この発明のメニュー画面式入力装置では、下層メニュー画面に表示されるアイテムであっても、そのアイテムが頻繁に選択されていると、その選択回数の計数値が所定レベル以上になった場合に、上層のメニュー画面に（も）表示されるようになる。
　したがって、そのアイテムについては、より上層のメニュー画面で選択できるようになり、操作の労力と時間とを節約できるようになる。しかも、この変更は自動的に行われるから、操作者には全く負担とならない。」（第２頁右上欄第６行〜同頁左下欄第１５行）
　
「［実施例］
　以下、図に示す実施例によりこの発明を更に詳細に説明する。なお、これによりこの発明が限定されるものではない。
　第１図はこの発明の一実施例のメニュー画面式入力装置１のブロック図である。
　オリジナル画面作成部２は、第２図に示す如きオリジナルメインメニュー画面ＯＲを記憶していると共に、第３図に示す如きオリジナルサブメニュー画面ＳＭ１、ＳＭ２を記憶している。
　カスタム画面作成部３は、はじめは第２図に示すように何もキー図形のないカスタムメインメニュー画面ＣＵを記憶している。
　立上り時、オリジナル画面作成部２は、オリジナルメインメニュー画面ＯＲを画面合成部４に出力すると共に、その旨の通知信号をカスタム画面作成部３に出力する。
　その通知信号により、カスタム画面作成部３は、キー図形のないカスタムメインメニュー画面ＣＵを画面合成部４に出力する。
　画面合成部４は、入力されたオリジナルメインメニュー画面ＯＲとカスタムメインメニュー画面ＣＵの合成画面を画像表示部５に出力する。
　したがって、画像表示部５には、第２図および第３図に示す如きメインメニュー画面ＭＭ１が表われる。
　メインメニュー画面ＭＭ１にキー図形で表示されているアイテムｍ１またはアイテムｍ２のいずれかをタッチパネル６により選択すると、操作解釈部７がサブメニュー画面ＳＭ１またはＳＭ２への画面切替コマンドをオリジナル画面作成部２に与える。
　すると、オリジナル画面作成部２は、オリジナルサブメニュー画面ＳＭ１またはＳＭ２を画面合成部４に出力すると共に、その旨の通知信号をカスタム画面作成部３に出力する。
　その通知信号により、カスタム画面作成部３は、画面合成部４への出力を停止する。
　したがって、画面合成部４からはオリジナルサブメニュー画面ＳＭ１またはＳＭ２が出力され、画像表示部５には、第３図に示す如きサブメニュー画面ＳＭ１またはＳＭ２が表われる。
　このように、メインメニュー画面ＭＭ１とサブメニュー画面ＳＭ１、ＳＭ２とは階層構造になっている。
　サブメニュー画面ＳＭ１またはＳＭ２にキー図形で表示されているアイテムｓｌｌ〜ｓ２２のいずれかをタッチパネル６により選択すると、操作解釈部７が対応する処理ＪＯＢ１１〜ＪＯＢ２２を行わせるコマンドを処理装置（図示省略）に入力する。
　かくして、メニュー画面に表示されているアイテムを選択するという簡単な操作を行うだけで目的のコマンドを入力できるが、このような動作は操作者にとっては従来と同じである。
　計数部８は、サブメニュ一画面ＳＭ１またはＳＭ２にキー図形で表示されているアイテムｓｌｌ〜ｓ２２の各々に対応するカウンタを有しており、それらのアイテムｓ１１〜ｓ２２が選択される毎にその回数を計数している。
　この計数を所定期間おこなうと、計数部８は、計数値が所定値よりも大きいアイテムを取り出し、さらに、それらのうちの最大のものから所定順位のものまでを選んで、その選んだアイテムをカスタム画面作成部３に通知する。その後、カウンタを全てクリアし、新たな計数を開始する。
　カスタム画面作成部３は、計数部８からアイテムの通知を受けると、そのアイテムに対応するキー図形をカスタムメインメニュー画面ＣＵに作成する。例えば、サブメニュー画面ＳＭ１のアイテムｓ１１が通知されたならば、第４図に示すように、アイテムｓ１１に対応するキー図形のあるカスタムメインメニュー画面ＣＵを作成する。
　このキー図形のあるカスタムメインメニュー画面ＣＵは、次にオリジナル画面作成部２がオリジナルメインメニュー画面ＯＲを出力する時に同時に出力され、これにより画面合成部４が両者を合成するので、例えば第４図および第５図に示す如きメインメニュー画面ＭＭ２が画像表示部５に表われることになる。
　操作解釈部７は、メインメニュー画面ＭＭ２に表示された新たなキー図形が選択されると、そのキー図形のアイテムに対応する処理を行わせるコマンドを処理装置（図示省略）に入力する（第５図参照）。
　したがって、操作者は、以前はサブメニュー画面を呼び出して選択していたアイテムを、メインメニュー画面で直ちに選択できるようになる。
　なお、所定期間後に計数部８からカスタム画面作成部３にアイテムの通知が再び行われると、カスタムメインメニュ一画面が再作成されるので、最新に使用頻度の高いアイテムをメインメニュー画面で常に選択できることとなる。」（第２頁左下欄第１６行〜第３頁右下欄第７行）
　
　と、記載されている。
　
　これらの記載によると、引用刊行物には、
「メニュー画面式入力装置であって、
　オリジナル画面作成部２、カスタム画面作成部３、画面合成部４、画像表示部５及びタッチパネル６を備え、
　オリジナル画面作成部２は、オリジナルメインメニュー画面ＯＲを記憶していると共に、オリジナルサブメニュー画面ＳＭ１、ＳＭ２を記憶しており、
　カスタム画面作成部３は、はじめは何もキー図形のないカスタムメインメニュー画面ＣＵを記憶しており、
　立上り時、オリジナル画面作成部２は、オリジナルメインメニュー画面ＯＲを画面合成部４に出力すると共に、その旨の通知信号をカスタム画面作成部３に出力し、その通知信号により、カスタム画面作成部３は、キー図形のないカスタムメインメニュー画面ＣＵを画面合成部４に出力し、
　画面合成部４は、入力されたオリジナルメインメニュー画面ＯＲとカスタムメインメニュー画面ＣＵの合成画面を画像表示部５に出力し、画像表示部５には、メインメニュー画面ＭＭ１が表われ、
　メインメニュー画面ＭＭ１には、キー図形で表示されているアイテムｍ１及びアイテムｍ２が表示され、アイテムｍ１またはアイテムｍ２のいずれかをタッチパネル６により選択すると、操作解釈部７がサブメニュー画面ＳＭ１またはＳＭ２への画面切替コマンドをオリジナル画面作成部２に与え、オリジナル画面作成部２は、オリジナルサブメニュー画面ＳＭ１またはＳＭ２を画面合成部４に出力すると共に、その旨の通知信号をカスタム画面作成部３に出力し、その通知信号により、カスタム画面作成部３は、画面合成部４への出力を停止し、画面合成部４からはオリジナルサブメニュー画面ＳＭ１またはＳＭ２が出力され、画像表示部５には、サブメニュー画面ＳＭ１またはＳＭ２が表われ、メインメニュー画面ＭＭ１とサブメニュー画面ＳＭ１、ＳＭ２とは階層構造になっており、サブメニュー画面ＳＭ１またはＳＭ２にキー図形で表示されているアイテムｓ１１〜ｓ２２のいずれかをタッチパネル６により選択すると、操作解釈部７が対応する処理ＪＯＢ１１〜ＪＯＢ２２を行わせるコマンドを処理装置に入力し、
　計数部８は、サブメニュ一画面ＳＭ１またはＳＭ２にキー図形で表示されているアイテムｓｌｌ〜ｓ２２の各々に対応するカウンタを有しており、それらのアイテムｓ１１〜ｓ２２が選択される毎にその回数を計数しており、
　この計数を所定期間おこなうと、計数部８は、計数値が所定値よりも大きいアイテムを取り出し、さらに、それらのうちの最大のものから所定順位のものまでを選んで、その選んだアイテムをカスタム画面作成部３に通知し、その後、カウンタを全てクリアし、新たな計数を開始し、
　カスタム画面作成部３は、計数部８からアイテムの通知を受けると、そのアイテムに対応するキー図形をカスタムメインメニュー画面ＣＵに作成し、例えば、サブメニュー画面ＳＭ１のアイテムｓ１１が通知されたならば、アイテムｓ１１に対応するキー図形のあるカスタムメインメニュー画面ＣＵを作成し、
　このキー図形のあるカスタムメインメニュー画面ＣＵは、次にオリジナル画面作成部２がオリジナルメインメニュー画面ＯＲを出力する時に同時に出力され、これにより画面合成部４が両者を合成するので、メインメニュー画面ＭＭ２には、例えば、アイテムｍ１、アイテムｍ１、アイテムｓ１１が画像表示部５に表われることになり、操作解釈部７は、メインメニュー画面ＭＭ２に表示された新たなキー図形が選択されると、そのキー図形のアイテムに対応する処理を行わせるコマンドを処理装置に入力し、
　操作者は、以前はサブメニュー画面を呼び出して選択していたアイテムを、メインメニュー画面で直ちに選択できるようになることを特徴とするメニュー画面式入力装置。」の発明（以下「引用刊行物発明」という。）が記載されているものと認めることができる。
　
　
３．対比
　
　そこで、本願発明と引用刊行物発明とを対比する。
　
　引用刊行物発明の「メニュー画面式入力装置」は、メインメニュー画面ＭＭ１、サブメニュ一画面ＳＭ１、ＳＭ２を有し、メインメニュー画面ＭＭ１に表示されているアイテムｍ１またはアイテムｍ２のいずれかをタッチパネル６により選択すると、操作解釈部７がサブメニュー画面ＳＭ１またはＳＭ２への画面切替コマンドをオリジナル画面作成部２に与え、オリジナル画面作成部２は、オリジナルサブメニュー画面ＳＭ１またはＳＭ２を画面合成部４に出力すると共に、その旨の通知信号をカスタム画面作成部３に出力し、その通知信号により、カスタム画面作成部３は、画面合成部４への出力を停止し、画面合成部４からはオリジナルサブメニュー画面ＳＭ１またはＳＭ２が出力され、画像表示部５には、サブメニュー画面ＳＭ１またはＳＭ２が表われることから、本願発明の「複数の画面を切換えて表示する表示装置」に相当する。
　
　引用刊行物発明の「アイテムｓ１１〜ｓ２２」は、サブメニュー画面ＳＭ１またはＳＭ２にキー図形で表示されているアイテムであって、アイテムｓ１１〜ｓ２２のいずれかをタッチパネル６により選択すると、操作解釈部７が対応する処理ＪＯＢ１１〜ＪＯＢ２２を行わせるコマンドを処理装置に入力することから、本願発明の「所定の機能の実行を行う複数の機能キー」に相当する。
　
　引用刊行物発明の「サブメニュー画面ＳＭ１またはＳＭ２」は、キー図形で表示されているアイテムｓ１１〜ｓ２２を備えることから、本願発明の「第１の画面」に相当する。
　
　引用刊行物発明の「メインメニュー画面ＭＭ２」は、「サブメニュー画面ＳＭ１またはＳＭ２」と異なる画面であるから、本願発明の「第２の画面」に対応する。
　
　引用刊行物発明の「操作者」は、本願発明の「ユーザ」に相当する。
　
　引用刊行物発明の「カスタムメインメニュー画面ＣＵ」の「計数部８から通知されたアイテムに対応するキー図形、例えば、アイテムｓ１１」は、立上がり時、メインメニュー画面ＭＭ１には表示されておらず、サブメニュー画面ＳＭ１において、操作者が選択したアイテムであり、メインメニュー画面ＭＭ２において、例えば、アイテムｍ１、アイテムｍ２と共に表示されることから、本願発明の「お好みキー」に対応し、引用刊行物発明の「カスタムメインメニュー画面ＣＵ」の「計数部８から通知されたアイテムに対応するキー図形、例えば、アイテムｓ１１」と、本願発明の「お好みキー」とは、「カスタムキー」という点で一致する。
　
　引用刊行物発明の「キー図形で表示されているアイテムｓ１１〜ｓ２２」は、本願発明の「第１の画面における複数の機能キーの機能名」に相当する。
　
　引用刊行物発明の「計数部８」、「カスタム画面作成部３」及び「画面合成部４」は、サブメニュー画面ＳＭ１またはＳＭ２におけるキー図形で表示されているアイテムｓ１１〜ｓ２２のいずれかをタッチパネル６により選択すると、計数部８がアイテムｓ１１〜ｓ２２が選択される毎にその回数を計数し、この計数を所定期間おこなうと計数部８は、計数値が所定値よりも大きいアイテムを取り出し、さらに、それらのうちの最大のものから所定順位のものまでを選んで、その選んだアイテムをカスタム画面作成部３に通知し、カスタム画面作成部３は、計数部８からアイテムの通知を受けると、そのアイテムに対応するキー図形をカスタムメインメニュー画面ＣＵに作成し、例えば、サブメニュー画面ＳＭ１のアイテムｓ１１が通知されたならば、アイテムｓ１１に対応するキー図形のあるカスタムメインメニュー画面ＣＵを作成し、このキー図形のあるカスタムメインメニュー画面ＣＵは、次にオリジナル画面作成部２がオリジナルメインメニュー画面ＯＲを出力する時に同時に出力され、これにより画面合成部４が両者を合成するので、表示部５に表示されるメインメニュー画面ＭＭ２には、例えば、メインメニュー画面ＭＭ１に表示されていたアイテムｍ１、アイテムｍ２に加えて、アイテムｓ１１が割り付けられて画像表示部５に表われることになることから、引用刊行物発明の「計数部８」、「カスタム画面作成部３」及び「画面合成部４」は、例えば、アイテムｓ１１がメインメニュー画面ＭＭ２に表示されるよう割り付けられる設定手段であるといえ、当該「設定手段」は、本願発明の「設定手段」と、「機能を第２の画面にカスタムキーとして割り付けられる設定手段」という点で一致する。
　
　引用刊行物発明の「画像表示部５」は、画面合成部４により、アイテムｓ１１に対応するキー図形のあるカスタムメインメニュー画面ＣＵと、オリジナルメインメニュー画面ＯＲとが合成されたメインメニュー画面ＭＭ２を表示することから、本願発明の「表示手段」と、「カスタムキーを備えた第２の画面を表示する」点で一致する。
　
　
　以上を総合して、両者は、
「複数の画面を切換えて表示する表示装置において、
　所定の機能の実行を行う複数の機能キーを備える第１の画面と、
　前記複数の画面のうち前記第１の画面とは異なる第２の画面と、
　機能を前記第２の画面にカスタムキーとして割り付けられる設定手段と
　カスタムキーを備えた第２の画面を表示する表示手段とを備えたことを特徴とする表示装置。」の点で一致し、以下の点で相違している。
　
　
［相違点１］本願発明では、第１の画面における複数の機能キーの機能名が表示されると共に、第２の画面のお好みキーが不表示状態となるように表示が行われる設定画面を備え、設定手段が、前記設定画面に表示された機能名のうちユーザが選択した機能名の機能を前記第２の画面にお好みキーとして割り付けられているのに対して、引用刊行物発明では、そのような設定画面を備えておらず、設定手段が、機能を前記第２の画面にカスタムキーとして割り付けられるものであり、カスタムキーとして、第１画面の機能キーの機能を割り付けられている点。
　
［相違点２］本願発明では、表示手段が、設定手段による機能の割り付けの設定が終了したときに、ユーザに選択された機能の機能名が表示された前記お好みキーを備えた前記第２の画面を表示するのに対して、引用刊行物発明では、そのような表示手段を備えていない点。
　
　
４．当審の判断
　
［相違点１］について
　キー操作を行う装置において、カスタムキーを設定するために、当該装置で用意されている複数の機能の機能名が表示される設定画面を設け、前記設定画面に表示された機能名のうちユーザが選択した機能名の機能をカスタムキーとして割り付けること（本願発明のお好みキーの割り付けに相当する。）は、特開平２−２１０５２１号公報（特に、第４図参照。自由設定ボタンは、カスタムキーであり、登録ボタンを操作して、選択ボタンを操作しているときの表示面は設定画面である。）及び特開平２−２９３９２４号公報（特に、第２図（ｂ）及び第３頁左上欄第４行〜第７行参照。）に示されるように、周知技術である。
　そして、引用刊行物発明において、用意されている複数の機能は、第１の画面に表示されている複数の機能キーで示される機能であり、カスタムキー（お好みキー）としては、第１画面の機能キーを割り付けるものであるから、引用刊行物発明において、上記周知技術を適用して、第１の画面における複数の機能キーの機能名が表示される設定画面を設け、設定手段が、前記設定画面に表示された機能名のうちユーザが選択した機能名の機能をお好みキーとして割り付けられることは、当業者が適宜なし得ることであって、その際に、お好みキーを表示するか否かは、設計的事項であり、お好みキーを非表示とすることは、当業者が適宜なし得る事項である。
　
［相違点２］について
　引用刊行物発明における第２画面は、初期画面である。
　そして、設定手段による設定が終了したときに、初期画面を表示することは、特開平２−２９３９２４号公報（第２図（ｃ）、（ｄ）参照。）及び実願昭６３−３９６８６号（実開平１−１４４９３１号）のマイクロフィルム（第４図参照。Ｓ５１の後、Ｓ５３で、初期メニューの修正を行った後に、メニュー選択入力に戻る。）に示されるように、周知技術である。
　したがって、引用刊行物発明において、上記周知技術を適用して、設定手段による設定が終了したときに、初期画面である第２の画面を表示させることは、当業者が適宜なし得ることである。
　
　そして、本願発明の作用効果も、引用刊行物発明及び周知技術から当業者が予測できる範囲のものである。
　
　
５．むすび
　
　以上のとおり、本願発明は、引用刊行物発明及び周知技術に基づいて、当業者が容易に発明をすることができたものであるから、特許法第２９条第２項の規定により特許を受けることができない。
　
　よって、結論のとおり審決する。